(57)【要約】【課題】絶縁物と見なされないＳＤカードを２重絶縁構成を必要とせず、特に業務用の市場に安価に供給すること。【解決手段】ＳＤカード７を装着するＳＤカードコネクタ８と触れないように金属製の蓋５で覆い、工具を必要とする金属ネジ６で締め付けることにより、手では蓋５を開けることができなくなるため、２重絶縁構成は不要となる。【選択図】  図１
2004212014.tif 000002
【特許請求の範囲】
【請求項１】
本体前面操作部のアースされた金属からなる外郭の一部分にデータが記録されたメモリカードを装着収納する空間を設け、前記メモリカードを覆う金属からなる蓋を備え、前記蓋は前記メモリカードとの空間距離を２ｍｍ以上確保し、前記金属からなる外郭の開口端面と前記蓋の端が近接もしくは接触させ、該蓋の固定に工具を必要とする金属ネジを使用して締め付けにより前記蓋が本体にアースされる構成とした高周波加熱装置。
【請求項２】
金属ネジはネジ頭が手で摘まめる高さを持ち、頭の表面は滑らかなコインネジとした請求項１記載の高周波加熱装置。
【請求項３】
蓋を装着する周囲に水切用の溝を設け、クッション性のあるシートを貼りつけられた前記蓋を装着によりシート周囲部分が操作部の基台に設けた凸部分に当接するようにした請求項１または２に記載の高周波加熱装置。
【請求項４】
シートの中央部がメモリーカードと接触するよう構成した請求項１、２または３に記載の高周波加熱装置。
【発明の詳細な説明】
【０００１】
【発明の属する技術分野】
本発明は、高周波加熱装置に関し、特にヒータ付きを含む業務用電子レンジに適した絶縁物と認められない小型サイズのメモリカード装着構成に関するものである。
【０００２】
【従来の技術】
従来、この種の高周波加熱装置としては、図６に示すように電子レンジボデー上方の横側の空きスペースにＩＣカードを挿入する部分が設けられており、ＩＣカードのデータにより調理動作をコントロールしていた（たとえば特許文献１参照）。
【０００３】
【特許文献１】
特開２０００−３０４２８１号公報（第１図）
【０００４】
【発明が解決しようとする課題】
近年ではコンビニ店で従来の電子レンジによる加熱のみではなく、ヒータ加熱もできる電子レンジの要望も高まってきており、それに応える必要があった。ヒータ加熱を備えた電子レンジの場合、ヒータから発する熱によりセット本体の上面の雰囲気温度は相当高くなるため温度の低い下方にＩＣカードを取り付けるのが望ましい。しかしＩＣカードのスロットルの寸法が大きいため取付け場所の確保が容易ではなかったが、最近はＳＤカードという小型で大容量のメモリカードの入手が可能となり、現行のセットにも大幅な改造を必要とせず取付けが容易となった。しかしながら、小型化によりＳＤカード自体の絶縁構成が０．８ｍｍを切っており電気用品取締法により絶縁物とみなされないため、電源コンセントから接続する機器は２重絶縁構成とする必要があり、そのため規格に適合する部品が新規となり入手が非常に困難で且つ大幅なコストアップとなるという課題を有していた。
【０００５】
本発明は、前記従来の課題を解決するもので、２重絶縁構成を必要としない安価な高周波加熱装置を提供することを目的とする。
【０００６】
【課題を解決するための手段】
前記従来の課題を解決するために、本発明の高周波加熱装置は、ＳＤカード装着部を覆う蓋を設け、一般の使用者が装着状態のＳＤカードに直接手で触れないように保護し従来の手回しが可能なビスを用いないで、蓋の開閉は工具を必要とするビス締めとしたものである。
【０００７】
これによって、特定のサービスマンのみがＳＤカードを交換作業することとなり、２重絶縁構成は法的に不要となる。
【０００８】
【発明の実施の形態】
請求項１に記載の発明は、本体前面操作部のアースされた金属からなる外郭の一部分に調理データが記録されたメモリカードを装着収納する空間を設け、前記メモリカードを覆う金属からなる蓋を備え、前期蓋は前期メモリカードとの空間距離を２ｍｍ以上確保し、前記金属からなる外郭の開口端面と前記蓋の端が近接もしくは接触させ、該蓋の固定に工具を必要とする金属ネジを使用して締め付けにより前記蓋が本体にアースされる構成とした高周波加熱装置とすることにより、一般の使用者が装着されたメモリカードに直接手で触ることができなくなり、またメモリカード装着部を金属体で覆っており静電気による破壊や誤動作を防ぐことができ、静電気やノイズに対して安定で且つ二重絶縁構成を必要としないため安価に構成することができる。
【０００９】
請求項２に記載の発明は、特に、請求項１に記載の高周波加熱装置で金属ネジのネジ頭を手で摘み易い形状のコインネジとすることにより、ドライバー等の特殊な工具を必要とせずにコインで緩めた後は指で回して開くことができ、メモリカードの交換を容易にすることができる。摘む表面を滑らな状態にすることで手では緩めることができないので、コインネジでも二重絶縁構成は不要となる。
【００１０】
請求項３に記載の発明は、特に、請求項１に記載の高周波加熱装置で蓋を装着する周囲に水切り用の溝を設け、クッション性のあるシートを貼り付けられた前記蓋を装着によりシート周囲部分が操作部の基台に設けた凸部分に当接するようにすることにより、掃除の水洗いにおいてもクッション性のシートで水の浸入を防止しているので、水が溝に沿って流れ落ち機器の故障を防止することができる。
【００１１】
請求項４に記載の発明は、特に、請求項１に記載の高周波加熱装置でシートの中央部がメモリ−カードと接触する構成とすることで、セット本体の輸送時の落下振動等によるカードの挿入不足による動作不良を未然に防ぐことができる。
【００１２】
【実施例】
以下本発明の実施例について、図面を参照しながら説明する。
【００１３】
（実施例１）
図１は、本発明の第１の実施例における高周波加熱装置の正面図を示すものである。
【００１４】
図１において、１は高周波加熱装置（以後ヒータ付きも含め電子レンジと呼ぶ）の本体で正面から見た図を示している。３は操作部でキーを押すことで電子レンジ１を動作させることができる。４は外郭でステンレスの金属で操作部を覆っている。５はＳＤカードに触れられないようにガードする蓋で外郭４と同じ材料で構成されている。６は金属ビスで蓋を固定するとともに蓋５のアースを確実に行なう為にも用いられる。図２は蓋５を取り外した状態の部分拡大図である。７はＳＤカードで挿入された状態を示す。８はＳＤカードコネクタでＡＢＳ等の樹脂で構成される基台９に取付けられている。図３は蓋５の裏面図と側面図と正面図で金属ビス６は蓋５から落ちないようにビス止めワッシャ１０で固定されている。図３の金属ビス６はコインビスでサービスマンがＳＤカードを交換する際、ドライバーを用いなくても手持ちのコインで回すことができる。コインビスをコインで緩めると後は指で摘まみ易いようにビス頭を高くしており、後の取り外し作業が楽となる。蓋５を閉める場合は最初は指で回し、最後の締め付けはコインで行なう。指でコインビスを緩めようとしても摘まむ部分が滑らかであるためコインビスを回すことができない。１１はクッションゴムを蓋５の裏面に貼っている。クッションゴムシート１１は吸水性の無く柔らかい独立発泡合成ゴムが最適である。図４は図２の部分断面図で蓋５を取り付けた状態を示す。図４を説明すると、ＳＤカードコネクタ８はＳＤカードの装着部で取付金具１２により基台９にビスで固定される。ＳＤカード７のケースの厚みが薄く電気絶縁物とみなされないため、非充電金属物との空間距離を必要とし、蓋５とＳＤカード７の端面からの寸法Ｌは２ｍｍ以上取るように構成している。ＳＤカードコネクタ８にはＳＤカード７を挿入した際にカードをロックする機構がなく、取り出すことができるため、本体の輸送時に起こる振動や落下の衝撃によりＳＤカードが抜けて接触不良を起こさないようにクッションゴムシート１１で軽く押す構成としている。
蓋５の周りの基台には溝１３を設け、外郭４を溝に沿って絞り込み蓋５の端面が外郭４に近接もしくは接触するように構成している。蓋５に接触する基台の部分を凸部１４に構成することで、凸部に当たる部分のクッションゴムシート１１が押しつぶされ、水洗いされた時の水の浸入を防止し、溝１３に沿って流れ落ちるようにしている。図５はＳＤカードコネクタの取付け構成を上面から見た断面図を示す。金属ネジ６は本体アースに接続された取付け金具１２に設けたネジ穴にねじ込まれており、これにより蓋５が金属ネジ６を通して電気的に取付け金具に導通される。この構成により、蓋５の隙間から静電気によるＳＤカードやＳＤカードコネクタの電気部品の破壊や誤動作を防ぐことができる。
【００１５】
以上のように構成された電子レンジについて、以下にその動作、作用を説明する。
【００１６】
まず、装着時のＳＤカード７は蓋５で保護されており、使用者が直接手に触れることことはなくなる。摘み易い形状のコインネジとすることで、特定の工具を必要とせず手持ちのコインで蓋の開閉作業ができるためサービスマンの作業が大幅に改善される。またコインネジを摘まんで回そうとしても金属ネジに滑り止めがなく、手がすべってしまい工具がなければ開けることが不可能となる。また作業者が静電気で帯電していても、アースされた金属ネジ６に指が触れた瞬間にアースされるため、ＳＤカードコネクタの電気部品に悪影響を与えることがなく、また蓋５の端面と外郭４とが近接するように構成しているため、静電気が蓋５内部の電気部品にまで影響を与えることはない。
【００１７】
使用者が掃除する際、蓋５とクッションゴムシート１１を介して基台の凸部１４が接触しており、水が浸入することなく周囲に施された溝１３に沿って流れ落ちる。また、クッションゴムシート１１はＳＤカードに接触させており、輸送時の振動や荷扱いによる落下等で接触不良を防ぐことができる。
【００１８】
以上のように、本実施例においては工具を用いて蓋５を開くことになり、メモリカードが小型化されたことにより絶縁物として法的に認められなくても二重絶縁構成を必要とせず、安価な構成でお客様に提供が可能となる。
【００１９】
【発明の効果】
以上のように、請求項１〜４に記載の発明によれば、２重絶縁構成を必要としないため、安価に製品を提供することができる。
【図面の簡単な説明】
【図１】本発明の実施例１における高周波加熱装置の正面外観図
【図２】本発明の実施例１における高周波加熱装置の蓋を取った状態の図
【図３】本発明の実施例１における高周波加熱装置の蓋の構成図
【図４】本発明の実施例１における高周波加熱装置の部分断面図
【図５】本発明の実施例１における高周波加熱装置の部分断面図
【図６】従来の高周波加熱装置の構成図
【符号の説明】
１  電子レンジ
２  ＩＣカード
３  操作部
４  外郭
５  蓋
６  金属ネジ
７  ＳＤカード
８  ＳＤカードコネクタ
９  基台
１０  ビス止めワッシャ
１１  クッションゴムシート
１２  取付け金具
１３  溝
１４  凸部
【図１】
2004212014.tif 000003
【図２】
2004212014.tif 000004
【図３】
2004212014.tif 000005
【図４】
2004212014.tif 000006
【図５】
2004212014.tif 000007
【図６】
2004212014.tif 000008